(57)【要約】【課題】  トラフィック情報の連続性を保持するトラフィック情報継承装置及び方法を実現する。【解決手段】  トラフィック情報収集一次記憶領域７では逐次トラフィック情報が保存されるが、一定時間ごとに二次記憶装置８に記憶される。また同じ一定時間ごとに制御基板（運用系）２の二次記憶装置８から制御基板（待機系）３の二次記憶装置１０へ転送され、制御基板（待機系）が運用系に代替、系切替したときに過去のトラフィック情報に引き続き追加記憶できる。制御基板（待機系）３を運用系に代替、系切替させるときに、代替直前に一次記憶領域７に一時保存中であり、二次記憶装置８に蓄積される前のトラフィック情報を、待機系に転送する。【選択図】  図１
2007235704.tif 000002
【特許請求の範囲】
【請求項１】
一方が運用系として動作するとき他方が待機系となる第１および第２の制御基板を有し、前記第１および第２の制御基板がそれぞれ、運用時に、トラフィック情報を一時的に保存する一次記憶手段と、この一次記憶手段に保存された前記トラフィック情報を定期的に蓄積する二次記憶手段とを備えた通信装置において、
前記第１および第２の制御基板のうち運用系として動作している制御基板の二次記憶手段に蓄積された前記トラフィック情報を、定期的に、待機系となっている制御基板の二次記憶手段に転送する第１の転送手段と、
待機系となっている制御基板を運用系に代替させる指令に基づき、運用系として動作している制御基板において二次記憶手段に蓄積される前の一次記憶手段に保存されているトラフィック情報を、待機系となっている制御基板の一次記憶手段に転送する第２の転送手段と、
この第２の転送手段による転送が行われた後、待機系となっている制御基板を運用系として動作させるように切り替える切り替え手段と
を備えたことを特徴とするトラフィック情報継承装置。
【請求項２】
一方が運用系として動作するとき他方が待機系となる第１および第２の制御基板を有し、前記第１および第２の制御基板がそれぞれ、運用時に、トラフィック情報を一時的に保存する一次記憶手段と、この一次記憶手段に保存されたトラフィック情報を定期的に蓄積する二次記憶手段とを備えた通信装置において、
前記第１および第２の制御基板のうち運用系として動作している制御基板の二次記憶手段に蓄積された前記トラフィック情報を、定期的に、待機系となっている制御基板の二次記憶手段に転送するとともに、
待機系となっている制御基板を運用系に代替させるときに、運用系として動作している制御基板において二次記憶手段に蓄積される前の一次記憶手段に保存されている前記トラフィック情報を、待機系となっている制御基板の一次記憶手段に転送した後、
待機系となっている制御基板を運用系として動作させることを特徴とするトラフィック情報継承方法。
【発明の詳細な説明】
【技術分野】
【０００１】
本発明は、ネットワークを構成する通信装置のトラフィック情報継承装置または方法に関する。
【背景技術】
【０００２】
近年になり情報通信ニーズの増大や通信の自由化が進展するにつれ、音声およびデータ通信を含む情報通信サービスが多様化してきている。このような背景から通信サービス分野に新たに参入する事業者（キャリア）も増えてきており、キャリア間のサービス競争が盛んになってきている。新規のキャリアはＮＣＣ（Ｎｅｗ  ｃｏｍｍｏｎ  ｃａｒｒｉｅｒ）と称され、ＶｏＩＰ（Ｖｏｉｃｅ  ｏｖｅｒ  Ｉｎｔｅｒｎｅｔ  Ｐｒｏｔｏｃｏｌ）などの技術を用いて様々なサービスを提供している。
【０００３】
ＮＣＣは、加入者回線を既に持つ特定のキャリアから、交換機などの設備を既定の料金で借り受けることが多い。またＮＣＣの多くは、自らの資金で例えばＩＰ網などの自前の交換ネットワークを構築する。これに、特定キャリアの回線交換網（ＰＳＴＮ：Ｐｕｂｌｉｃ  Ｓｗｉｔｃｈｅｄ  Ｔｅｌｅｐｈｏｎｅ  Ｎｅｔｗｏｒｋ）も加えて通信システムが形成され、一般ユーザへのサービスの提供にあたってはこれらの設備が複合的に利用される。
【０００４】
サービスを提供する際、料金徴収、ネットワークの状態監視などのために、通信量、使用されているサービスの種別といったトラフィック情報を管理することがある。
【０００５】
ところで、この通信システムを構築するにあたって、ＩＰ網と回線交換網の中継変換にゲートウェイ装置などの通信装置が用いられる。ゲートウェイ装置の制御部、通信部、および種々のインターフェースなどは、それぞれ独立したユニットとして形成され、同一のユニットが２枚以上格納されることが多い。同一のユニットが二重化されることで、運用系で障害が発生した場合でも、もう一方である待機系に切り替えて継続使用できるようになり、サービスの安定化が図れる。
【０００６】
待機系のユニットに格納されたファイルは、待機中にアクセスされることはなく、通常更新もされないが、切り替え時にスムーズに切り替えられるよう、それぞれのユニットに対して、最新の情報をネットワーク監視装置などから送信して、ファイルを更新する必要がある。複数のプロセッサを備える通信装置におけるファイル更新方式が種々考案されている（例えば特許文献１を参照）。
【０００７】
本発明では、ファイルのうちトラフィック情報の継承について述べる。図２は従来の技術におけるトラフィック情報継承装置の例を示す図である。
【０００８】
通信装置１は通信部４と制御基板（運用系）２、制御基板（待機系）３により構成される。通信部４と制御基板２，３はＬＡＮ（Ｌｏｃａｌ  Ａｒｅａ  Ｎｅｔｗｏｒｋ）インターフェース１１，１２により通信を行う。制御基板（運用系）２はプロセッサ１３を含む通信制御部５によって、通信装置全体の制御、監視を行っている。制御基板（待機系）３は制御基板（運用系）２が障害になってサービスを継続できなくなった場合、または保守的に制御基板（待機系）３に運用を交替したい場合に遠隔から指示を受けて、制御基板（運用系）２の代替、系切替を行う。
【０００９】
通信部４は制御基板（運用系）２の管理下でさまざまな回線の通信サービスを提供している。また通信部４は時間に対する通信量を統計として履歴観測するため通信サービスの提供内容の情報を収集し、トラフィック情報として制御基板（運用系）２のトラフィック収集機能６に送信する。トラフィック情報収集機能６では送信されたトラフィック情報を整理し、トラフィック情報収集一次記憶領域７に保存する。トラフィック情報収集一次記憶領域７では逐次トラフィック情報が保存されるが、一定時間ごとに二次記憶装置８に記憶される。また同じ一定時間ごとに制御基板（運用系）２の二次記憶装置８から制御基板（待機系）３の二次記憶装置１０へ転送される。制御基板（待機系）が運用系に代替し系切替が行われるとき、二次記憶装置のトラフィックは継承され、過去のトラフィック情報に引き続き追加記憶できる。
【特許文献１】特開平０８−１０６３９９号公報
【発明の開示】
【発明が解決しようとする課題】
【００１０】
従来技術においても、一定時間ごとにトラフィック情報を制御基板（待機系）３の二次記憶装置１０に転送するため、転送をしたトラフィック情報は系切り替え後も継承されていく。しかし、系の切り替えを行った場合、トラフィック情報の転送から系の切り替え時刻までのトラフィック情報は、転送されずに破棄されてしまい、系切り替え後の情報の連続性が損なわれるという欠点があった。
【００１１】
本発明は上記問題を解決するためになされたもので、転送時刻から、代替、系切り替えをする時刻までのトラフィック情報の連続性を保持するトラフィック情報継承装置及び方法の実現を目的とする。
【課題を解決するための手段】
【００１２】
上記目的を達成するために、本発明のトラフィック情報継承装置は、一方が運用系として動作するとき他方が待機系となる第１および第２の制御基板を有し、第１および第２の制御基板がそれぞれ、運用時に、通信情報であるトラフィック情報を一時的に保存する一次記憶手段と、この一次記憶手段に保存されたトラフィック情報を定期的に蓄積する二次記憶手段とを備えた通信装置において、第１および第２の制御基板のうち運用系として動作している制御基板の二次記憶手段に蓄積されたトラフィック情報を、定期的に、待機系となっている制御基板の二次記憶手段に転送する第１の転送手段と、待機系となっている制御基板を運用系に代替させる指令に基づき、運用系として動作している制御基板において二次記憶手段に蓄積される前の一次記憶手段に保存されているトラフィック情報を、待機系となっている制御基板の一次記憶手段に転送する第２の転送手段と、この第２の転送手段による転送が行われた後、待機系となっている制御基板を運用系として動作させるように切り替える切り替え手段とを備えたことを特徴とする。
【００１３】
また、本発明のトラフィック情報継承方法は、一方が運用系として動作するとき他方が待機系となる第１および第２の制御基板を有し、第１および第２の制御基板がそれぞれ、運用時に、通信情報であるトラフィック情報を一時的に保存する一次記憶手段と、この一次記憶手段に保存されたトラフィック情報を定期的に蓄積する二次記憶手段とを備えた通信装置において、第１および第２の制御基板のうち運用系として動作している制御基板の二次記憶手段に蓄積されたトラフィック情報を、定期的に、待機系となっている制御基板の二次記憶手段に転送するとともに、待機系となっている制御基板を運用系に代替させるときに、運用系として動作している制御基板において二次記憶手段に蓄積される前の一次記憶手段に保存されているトラフィック情報を、待機系となっている制御基板の一次記憶手段に転送した後、待機系となっている制御基板を運用系として動作させることを特徴とする。
【発明の効果】
【００１４】
本発明によれば、系切り替え時に一次記憶装置間でトラフィック情報を送受信することで、転送時刻から、代替、系切り替えをする時刻までのトラフィック情報の連続性を保持するトラフィック情報継承装置及び方法を実現できる。
【発明を実施するための最良の形態】
【００１５】
以下、本発明にかかるトラフィック情報継承装置及び方法に関して説明する。
【００１６】
図４は本発明の一実施例にかかるトラフィック情報継承装置を適用した通信装置の構成図である。通信装置４３は運用系の制御基板４５、待機系の制御基板４４、通信部４６により構成され、おのおのＬＡＮによる内部のバスに接続され、相互間通信ができるようになっている。
【００１７】
運用系である制御基板４５は外部のネットワーク４２、通信装置４３を監視するネットワーク監視装置４１とＬＡＮにより接続されているが、待機系である制御基板４４は外部に接続されていない。しかし、待機系の制御基板４４が運用系に代替したときには外部と接続され、逆に制御基板４５は外部との接続が遮断される。外部との接続を遮断された後、故障した制御基板を新しい制御基板に交換を行うなどしたうえで、次の待機系とする。
【００１８】
したがって、通信装置を制御する制御基板（運用系）には、トラフィック情報の過去の履歴を保持しておき、トラフィック情報を追記していく必要性が生じる。
【００１９】
制御基板（運用系）４５に蓄積されたトラフィック情報は、通信装置保守者が監視を行うため、ネットワーク監視装置４１に吸い上げられ、通信装置４３の通信量、負荷状況を把握するために使用される。
【００２０】
図１は本実施例におけるトラフィック情報継承装置の構成を示す図である。
【００２１】
従来例に加えて、さらに制御基板（待機系）３を運用系に代替、系切替させるときに、代替直前に一次記憶領域７に一時保存中であり、二次記憶装置８に蓄積される前のトラフィック情報を、待機系に転送する機能を有する。
【００２２】
図３は本実施例におけるトラフィック継承装置の詳細な構成を示す図である。
【００２３】
制御基板（運用系）２１の二次記憶装置２４から制御基板（待機系）２３の二次記憶装置２８に定期転送を行うため、制御基板（運用系）２では二次記憶送信機能２６を持ち、制御基板（待機系）２２では二次記憶受信機能３０を持つ。またトラフィック情報収集一次記憶領域２３のトラフィック情報をトラフィック情報収集一次記憶領域２７に転送するため、二次記憶領域送信機能２６、二次記憶受信機能３０とは別に一次記憶領域送信機能２５、一次記憶領域受信機能２９を用意する。ここで、二次記憶装置２４、二次記憶装置２８は取り外し自由なＦｌａｓｈメモリを使用する。Ｆｌａｓｈメモリの代わりに、信頼性は落ちるが記録量で優れるハードディスクを使ってもよい。
【００２４】
二次記憶送信機能２６、二次記憶受信機能３０は取り外し自由なＦｌａｓｈメモリの情報を読み書きするソフトウェアプログラム機能と制御基板（運用系）２１、制御基板（待機系）２２の間のＬＡＮ通信を行える通信機能を使用し、トラフィック情報を転送する機能がある。
【００２５】
また、トラフィック情報収集一次記憶領域２３、トラフィック情報収集一次記憶領域２７はプログラム動作を行うためのＲＡＭ領域であり、プログラム制御を行うためのデータベース部である。一次記憶領域送信機能２５、一次記憶領域受信機能２９はデータベース部を読み書きする機能と制御基板（運用系）２１、制御基板（待機系）２２の間のＬＡＮ通信を行える通信機能を使用し、トラフィック情報を転送するソフトウェアプログラム機能である。
【００２６】
制御基板（待機系）２２が運用系に代替する直前に一次記憶領域送信機能２５がトラフィック情報収集一次記憶領域２３に蓄積されているトラフィック情報を一次記憶領域受信機能２９に送信する。一次記憶領域受信機能２９は該トラフィック情報を受信し、トラフィック情報収集一次記憶領域２７に記憶する。その後、制御基板（待機系）２２が運用系に代替すると、トラフィック情報収集一次記憶領域２７、二次記憶領域２８は、代替前のトラフィック情報を記憶しているため、それ以降新たに収集されるトラフィック情報を追加で記憶していくことにより、代替前後でトラフィック情報が破棄されず、情報の連続性が損なわれず、継承していくことができる。
【００２７】
図５は、本実施例におけるトラフィック継承方法のフロー図である。
【００２８】
運用系である制御基板Ａのトラフィック情報一次記憶装置５１に一定量のトラフィック情報が蓄積されると、定量転送として、制御基板Ａのトラフィック情報二次記憶装置５２に対して書き込み要求およびデータ転送を行う。トラフィック情報一次記憶装置５１は例えばＦＩＦＯのような動作を行い、転送中であっても蓄積は可能である。転送が終了すると、通信部５５に向けて受信完了を送信し、また一次記憶装置５１に対して転送成功を送信して、トラフィック情報が更新されたことを通知する。一次記憶装置５１は常時書き込みを行うため、転送成功を直接リセットに用いる必要はないが、転送成功を受信したデータに関して破棄することが可能となる。一次記憶装置側に予備の記憶領域を設け、転送失敗時における再送機能を設けてもよい。
【００２９】
運用系から待機系への定期転送のタイミングとしては、効率の面から言うと、起動時および前回の定期転送から一定時間経過後、通信部に送信される受信完了通知が一定回数経過後、またはその組み合わせのいずれか等とする。一次記憶装置から二次記憶装置への定量転送中に、運用系から予備系への定期転送が起きないように、通信部に送信される受信完了通知ののち一定時間を定期転送可能時間として設定し、それ以外では定期転送不可にすることもできる。図５のフローにおいて定期転送時、二次記憶装置５２は制御基板Ｂのトラフィック情報二次記憶装置５４に対してトラフィック情報を送信する。送信後に、二次記憶装置５４は通信部５５に対して受信完了を送信し、定期転送は終了する。このとき、運用系と予備系との二次記憶装置５２，５４に蓄積されているトラフィック情報は同一である。
【００３０】
障害が発生するなどして、切り替え要求が発生すると、運用系である一次記憶装置５１から待機系である制御基板Ｂのトラフィック情報一次記憶装置５３に対して、トラフィック情報の転送を行う。この転送期間中は切り替え禁止時間とする。転送が終わり、通信部５５が一次記憶装置（待機系）５３からの受信完了を受けた後、実際に切り替えを行う。切り替え後は図４で説明したとおり、代替前後でトラフィック情報が破棄されず、情報の連続性が損なわれず、継承していくことができる。
【００３１】
障害が発生した前運用系の制御基板Ａは、活線挿抜可能な構造であって、交換を行ったうえで、予備系の制御基板として動作を行う。図５のフローでは、切り替え発生後には、制御基板Ｂにおける二回の定量転送後に、二次記憶装置５４は制御基板Ａのトラフィック情報二次記憶装置５２に対してトラフィック情報を送信し、定期転送を行う。
【００３２】
この発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００３３】
【図１】本発明の一実施例にかかるトラフィック情報継承装置の構成図。
【図２】従来の技術におけるトラフィック情報継承装置の構成図。
【図３】本発明の一実施例におけるトラフィック情報継承装置の詳細な構成を示す図。
【図４】本発明の一実施例にかかるトラフィック情報継承装置を適用した通信装置の構成図。
【図５】本発明の一実施例におけるトラフィック情報継承方法のフロー図。
【符号の説明】
【００３４】
１  通信装置
２  制御基板（運用系）
３  制御基板（待機系）
４  通信部
５  通信制御部
６  トラフィック情報収集機能
７、９  トラフィック情報収集一次記憶領域
８、１０  二次記憶領域
１１、１２  ＬＡＮインターフェース
１３  プロセッサ
２１  制御基板（運用系）
２２  制御基板（待機系）
２３、２７  トラフィック情報収集一次記憶領域
２４、２８  二次記憶装置
２５  一次記憶領域送信機能
２６  二次記憶送信機能
２９  一次記憶領域受信機能
３０  二次記憶領域受信機能
４１  ネットワーク監視装置
４２  通信ネットワーク
４３  通信装置
４４  制御基板（待機系）
４５  制御基板（運用系）
４６  通信部
５１  トラフィック情報一次記憶装置（制御基板Ａ）
５２  トラフィック情報二次記憶装置（制御基板Ａ）
５３  トラフィック情報一次記憶装置（制御基板Ｂ）
５４  トラフィック情報二次記憶装置（制御基板Ｂ）
５５  通信部
【図１】
2007235704.tif 000003
【図２】
2007235704.tif 000004
【図３】
2007235704.tif 000005
【図４】
2007235704.tif 000006
【図５】
2007235704.tif 000007